(57)【要約】      （修正有）【課題】長年の使用によってもその塗装面がすり減らず、色落ちし難く、薄暗い場所においても使用する番手を識別し易く、長さの異なる複数本のドライバービットをビットホルダーやブリスターケースに並べて保持する場合にも、それらの色彩を施した場所が揃うようにしたドライバービットを提供する。【解決手段】断面が正六角形状の軸部１の中間部に、軸部断面の内接円の直径よりも小さいか、直径と同一の径の円柱状胴部４を形成し、円柱状胴部の周方向に少なくとも一条以上のビット頭部の番手と対応する条数円筒状凸条５を形成し、円筒状凸条の外面に番手と対応する色彩を施す。【選択図】図２
0003210750.tif 000002
【実用新案登録請求の範囲】
【請求項１】
断面が正六角形状の軸部（１）の中間部に、この軸部（１）の断面の内接円（Ｃ）の直径よりも小さいか、直径と同一の径の円柱状胴部（４）を形成し、この円柱状胴部（４）の周方向に少なくとも一条以上の円筒状凸条（５）を形成したものとすると共に、この円筒状凸条（５）の外面（５ａ）に色彩を施したことを特徴とするドライバービット。
【請求項２】
前記円筒状凸条（５）の条数が、ビットの頭部（２）の番手と対応する条数としていることを特徴とする請求項１記載のドライバービット。
【請求項３】
前記円筒状凸条（５）の外面（５ａ）の色彩が、ビットの頭部（２）の番手と対応する色彩としていることを特徴とする請求項１または２記載のドライバービット。
【請求項４】
前記円筒状凸条（５）の色彩を施した外面（５ａ）が、前記軸部（１）の断面の内接円（Ｃ）の内側に位置するものとしていることを特徴とする請求項３記載のドライバービット。
【請求項５】
前記円筒状凸条（５）は、ビットの軸長（Ｌ1 ）に係わらず、ビットの一端より一定の距離（Ｌ2 ）をおいた個所から形成されたものとしていることを特徴とする請求項１〜４の何れかに記載のドライバービット。
【考案の詳細な説明】
【技術分野】
【０００１】
この考案は、手動のドライバー、電動ドライバー、エアドライバーなどの回転工具に取り付けて使用するドライバービットに関するものである。
【背景技術】
【０００２】
従来、この種のドライバービットには、軸部の中央部の表面にビット頭の番手と対応する色彩のカラー塗装部を有したものが存在する（特許文献１）。
【０００３】
このように構成されたドライバービットは、使用番手に対応した色彩に塗装されているため、所望のものを容易に、かつ迅速に取り出すことができ、これにより作業効率の向上が図れるとしている。
【０００４】
さらに、この種のドライバービットには、断面六角形状の軸部の両端にビット頭が形成された両頭ドライバービットにおいて、軸部中央の両側に右トーション部と左トーション部とを有し、これら右トーション部と左トーション部のいずれか一方に着色が施されたものが存在する（特許文献２）。
【０００５】
このように構成されたドライバービットは、トーション部の着色によって、両頭ドライバービットの左右の識別が容易になるとしている。
【先行技術文献】
【特許文献】
【０００６】
【特許文献１】実用新案登録第３１１５６０７号公報
【特許文献２】実用新案登録第３１８９４６９号公報
【考案の概要】
【考案が解決しようとする課題】
【０００７】
しかしながら、特許文献１に記載された従来のドライバービットでは、軸部の中央部の表面に単に色彩が施されているだけなので、使用時や保管時において色彩の塗装面に物などが接触し易く、長年の使用によってはその塗装面が部分的または全体的にすり減って、色落ちしてしまい、外観が悪くなったり、使用したい番手ものを識別し難くなったりするという課題を有していた。
【０００８】
また、特許文献１に記載された従来のドライバービットでは、薄暗い場所においては軸部の中央部の表面に施された色彩が判別し難いときがあり、使用する番手を誤ってしまったりすることがあるという課題を有していた。
【０００９】
さらに、特許文献１に記載された従来のドライバービットでは、複数の保持孔を配列したビットホルダーや、ブリスターケースに、長さの異なる複数本のドライバービットを並べて保持する場合には、それぞれが軸部の中央部の表面に色彩が施されているので、それらの色彩を施した場所が揃わずにばらけてしまい、使用時に見難かったり、商品陳列時に纏まりのないものになってしまうなどの課題を有していた。
【００１０】
そして、特許文献２に記載された従来のドライバービットでは、両頭ドライバービットの左右の識別が容易になるというだけで、使用したい番手ものを識別する機能はまったく有さないという課題を有していた。
【００１１】
そこで、この考案は、上記従来のドライバービットの課題を解決するものであり、長年の使用によってもその塗装面がすり減らず、色落ちし難くなり、薄暗い場所においても使用する番手を識別し易く、長さの異なる複数本のドライバービットをビットホルダーやブリスターケースに並べて保持する場合にも、それらの色彩を施した場所が揃うようにしたドライバービットを提供することを目的としてなされたものである。
【課題を解決するための手段】
【００１２】
そのため、この考案のドライバービットは、断面が正六角形状の軸部１の中間部に、この軸部１の断面の内接円Ｃの直径よりも小さいか、直径と同一の径の円柱状胴部４を形成し、この円柱状胴部４の周方向に少なくとも一条以上の円筒状凸条５を形成したものとすると共に、この円筒状凸条５の外面５ａに色彩を施したものとしている。
【００１３】
この考案のドライバービットにおいて、前記円筒状凸条５の条数が、ビットの頭部２の番手と対応する条数としている。
【００１４】
この考案のドライバービットにおいて、前記円筒状凸条５の外面５ａの色彩が、ビットの頭部２の番手と対応する色彩としている。
【００１５】
この考案のドライバービットにおいて、前記円筒状凸条５の色彩を施した外面５ａが、前記軸部１の断面の内接円Ｃの内側に位置するものとしている。
【００１６】
この考案のドライバービットにおいて、前記円筒状凸条５は、ビットの軸長Ｌ1 に係わらず、ビットの一端より一定の距離Ｌ2 をおいた個所から形成されたものとしている。
【考案の効果】
【００１７】
この考案のドライバービットは、以上に述べたように構成されているので、長年の使用によっても色彩の塗装面がすり減らず、色落ちし難いものとなり、外観が悪くなったり、使用したい番手ものを識別し難くなったりすることも少なく、作業効率の向上が図れるものとなる。
【００１８】
また、この考案のドライバービットは、ビットを手にしたときに円筒状凸条５に手が触れることで、視覚と同時に触覚でも確認することができるので、薄暗い場所においても使用する番手を識別し易く、作業効率の向上が図れるものとなる。
【００１９】
さらに、この考案のドライバービットは、長さの異なる複数本のドライバービットをビットホルダーやブリスターケースに並べて保持する場合にも、円筒状凸条５を施した場所が揃うので、使用時に見易く、作業効率の向上が図れるものとなったり、商品陳列時に纏まったものとなり、陳列効果に優れたものとなる。
【図面の簡単な説明】
【００２０】
【図１】この考案のドライバービットの一実施形態を示す斜視図である。
【図２】図１に示すこの考案のドライバービットの正面図である。
【図３】図２中のＡーＡ線による拡大断面図である。
【図４】図２中のＢーＢ線による拡大断面図である。
【図５】この考案のドライバービットを保持するビットホルダーの一例を示す斜視図である。
【図６】この考案のドライバービットの長さの異なるものを複数本、図５に示すビットホルダーに保持させた状態を示す正面図である。
【図７】この考案のドライバービットの長さの異なるものを複数本、ブリスターケースに収納した状態を示す正面図である。
【考案を実施するための形態】
【００２１】
以下、この考案のドライバービットを実施するための形態を、図面に基づいて詳細に説明する。
【００２２】
この考案のドライバービットは、図１、２に示したように、軸部１の両端に一対の頭部２が形成された両頭形式のものとしており、軸部１と頭部２の間には、それぞれ両端寄りに係止溝部３が形成されている。この軸部１は、回転工具の装着穴に装着され、係止溝部３は、回転工具の係止部材に係止されるようにしている。なお、図示したドライバービットは、両頭形式としているが、軸部１の片端にのみ頭部２が形成された単頭形式のものとしてもよい。
【００２３】
前記軸部１は、図１、３に示したように、断面を角を落とした正六角形状としており、中間部にこの軸部１の断面の内接円Ｃの直径よりも小さいか、直径と同一の径の円柱状胴部４を形成している。そして、この円柱状胴部４の周方向に少なくとも一条以上の円筒状凸条５を形成したものとしている。図示したものでは、四角柱形状とした頭部２を三番としており、後に述べるように、この三番に対応させて三条の円筒状凸条５を形成したものとしている。
【００２４】
前記頭部２は、図示したような四角柱形状に限らず、三角柱形状、六角柱形状、プラス刃形状、マイナス刃形状、四角穴形状、六角穴形状などの各種形状であって、各種の番手のものとすることができる。
【００２５】
前記円柱状胴部４は、ビットの軸長Ｌ1 に係わらず、ビットの一端より２０〜４０ｍｍの範囲で一定の距離Ｌ2 をおいた個所から形成されたものとしており、ビットの軸長Ｌ1 の０．５〜１割程度の長さとしている。例えば、ビットの軸長Ｌ1 の実寸を１１０ｍｍとした場合は、ビットの一端からの距離Ｌ2 を２５ｍｍとし、その長さＬ3 を１0 ｍｍ程度にしており、軸長Ｌ1 の実寸を６５ｍｍとした場合は、ビットの一端からの距離Ｌ2 を２５ｍｍとし、その長さＬ3 を６ｍｍ程度にしている。
【００２６】
前記円筒状凸条５は、先に述べたように、円柱状胴部４の周方向に少なくとも一条以上、形成したものとしているが、その条数は頭部２の番手と対応する条数としており、図示したものでは、三条としており、頭部２の番手（三番）と対応する条数としている。
【００２７】
さらに、前記円筒状凸条５の外面５ａには、塗料を塗布したり焼き付けたりするなどして色彩を施したものとしている。この色彩は、円筒状凸条５の条数によって変えることができ、例えば円筒状凸条５を一条とした場合は青色、二条とした場合は赤色、三条とした場合は緑色というように、各種の色合いとすることができ、頭部２の番手と対応する色彩としている。
【００２８】
また、前記円筒状凸条５は、円柱状胴部４に形成されるものあれば、その形状は特に限定されないが、円柱状胴部４の長さＬ3 内に適当な隙間Ｓをおいて形成されるような幅Ｗ（例えば実寸で１〜２ｍｍ程度）としたものとしており、その色彩を施した外面５ａが、前記軸部１の断面の内接円Ｃの内側に位置するものとしている。このようにすれば、ドライバービットを作業台などの平面上に置いたときに、色彩を施した外面５ａがその平面に接触しないので、その色彩の塗装面がすり減らず、色落ちし難いものとなる。
【００２９】
なお、前記円筒状凸条５は、先に述べたようにビットの軸長Ｌ1 に係わらず、ビットの一端より一定の距離Ｌ2 をおいた個所から形成されたものとしているので、例えばこの考案のドライバービットの長さの異なるものを複数本、図５に示したような、横長の略直方体状の保持体１１に複数の保持孔１２を配列したビットホルダーＨに保持させた場合には、図６に示したように、それらのビットの下端を横一直線にすれば、円筒状凸条５を形成した個所を簡単に揃えることができる。さらに、この考案のドライバービットの長さの異なるものを複数本、図７に示したようにブリスターケースＢに収納した場合にも、それらのビットの下端を横一直線にすれば、円筒状凸条５を形成した個所を簡単に揃えることができるものとなる。
【００３０】
以上のように構成されたこの考案のドライバービットは、長年の使用によってもその色彩の塗装面がすり減らず、色落ちし難いものとなる。したがって、この考案のドライバービットは、外観が悪くなったり、使用したい番手ものを識別し難くなったりすることも少なくなるので、作業効率の向上が図れるものとなる。
【００３１】
また、この考案のドライバービットは、ビットを手にしたときに円筒状凸条５に手が触れることで、視覚と同時に触覚でも確認することができるものとなる。したがって、この考案のドライバービットは、薄暗い場所においても使用する番手を識別し易く、作業効率の向上が図れるものとなる。
【００３２】
さらに、この考案のドライバービットは、長さの異なる複数本のドライバービットをビットホルダーＨやブリスターケースＢに並べて保持する場合にも、円筒状凸条５を施した場所が揃うことになる。したがって、この考案のドライバービットは、使用時に見易く、作業効率の向上が図れるものとなったり、商品陳列時に纏まったものとなり、陳列効果に優れたものとなる。
【符号の説明】
【００３３】
１  軸部
２  頭部
４  円柱状胴部
５  円筒状凸部
５ａ  外面
Ｃ  内接円
Ｌ1 軸長
Ｌ2 距離
【図１】
0003210750.tif 000003
【図２】
0003210750.tif 000004
【図３】
0003210750.tif 000005
【図４】
0003210750.tif 000006
【図５】
0003210750.tif 000007
【図６】
0003210750.tif 000008
【図７】
0003210750.tif 000009